(57)【要約】      （修正有）【課題】バタフライ弁の弁軸の曲がりの有無を簡素な構成で容易に検査することが可能な検査装置を提供する。【解決手段】円板状の弁体１００の両側に一対の弁軸１０１が同軸に設けられているバタフライ弁を検査対象とし、一対の弁軸の曲がりの有無を検査する検査装置１であって、ベース２と、一対の弁軸のそれぞれを基準となる軸線上で同軸支持できるように軸線の方向に互いに間隔を空けてベース上に配置された一対の支持部３ａ、３ｂとを備えている。そして、一対の支持部は、ベースの上面２ａから一対の支持部に支持されている弁軸の軸線Ａｘまでの高さが、弁体の半径Ｒより大きくなるように設けられている。【選択図】図１
0003193131.tif 000002
【実用新案登録請求の範囲】
【請求項１】
円板状の弁体の両側に一対の弁軸が同軸に設けられているバタフライ弁を検査対象とし、前記一対の弁軸の曲がりの有無を検査する検査装置であって、
ベースと、
前記一対の弁軸のそれぞれを基準となる軸線上で同軸支持できるように前記軸線の方向に互いに間隔を空けて前記ベース上に配置された一対の支持部と、を備え、
前記一対の支持部は、前記ベースの上面から前記一対の支持部に支持されている弁軸の軸線までの高さが、前記弁体の半径より大きくなるように設けられていることを特徴とする検査装置。
【請求項２】
前記一対の支持部は、少なくともいずれか一方が他方との間の距離を変更可能なように前記ベースに移動可能に設けられている請求項１に記載の検査装置。
【請求項３】
前記ベースの表面の色は、前記弁軸の表面の色に対してコントラストを生じる色である請求項１又は２に記載の検査装置。
【請求項４】
前記一対の支持部が樹脂製である請求項１〜３のいずれか一項に記載の検査装置。
【考案の詳細な説明】
【技術分野】
【０００１】
本考案は、バタフライ弁の弁体の両側に設けられている一対の弁軸の曲がりの有無を検査する検査装置に関する。
【背景技術】
【０００２】
棒状物を回転させてその棒状物の曲がり量を測定する装置が知られている（例えば、特許文献１〜３参照）。また、弁本体又は弁本体に装着された装置の振動や揺動を検出し、その検出信号に基づいて弁の異常を検出するバタフライ弁が知られている（特許文献４参照）。フランジ形仕切弁のヨークの歪量を検出し、検出した歪量に基づいて弁ステムの曲がり量等を測定する診断装置も知られている（特許文献５参照）。
【先行技術文献】
【特許文献】
【０００３】
【特許文献１】特開昭５４−１４６６５６号公報
【特許文献２】特公平３−６５８４１号公報
【特許文献３】特公平４−２２４４７号公報
【特許文献４】実用新案登録第２５６６９０２号公報
【特許文献５】特開平６−１０２１４２号公報
【考案の概要】
【考案が解決しようとする課題】
【０００４】
特許文献１〜３の装置は、棒状物の中央部分の振れを検出するものであり、バタフライ弁の弁軸の曲がりを検査することはできない。特許文献４の装置は、バタフライ弁で発生している異常現象を検出するものであり、弁軸の曲がりを検査するものではない。特許文献５の装置では、複数のセンサや演算装置が必要であり、装置が複雑化する。
【０００５】
そこで、本考案は、バタフライ弁の弁軸の曲がりの有無を簡素な構成で容易に検査することが可能な検査装置を提供することを目的とする。
【課題を解決するための手段】
【０００６】
本考案の検査装置は、円板状の弁体（１００）の両側に一対の弁軸（１０１）が同軸に設けられているバタフライ弁を検査対象とし、前記一対の弁軸の曲がりの有無を検査する検査装置（１）であって、ベース（２）と、前記一対の弁軸のそれぞれを基準となる軸線上で同軸支持できるように前記軸線の方向に互いに間隔を空けて前記ベース上に配置された一対の支持部（３ａ、３ｂ）と、を備え、前記一対の支持部は、前記ベースの上面（２ａ）から前記一対の支持部に支持されている弁軸の軸線までの高さ（Ｈ）が、前記弁体の半径（Ｒ）より大きくなるように設けられているものである。
【０００７】
本考案の検査装置によれば、一対の支持部にて弁体を回転可能に支持できる。弁軸が曲がっていない場合には、この支持状態において弁軸の軸端の中心が基準となる軸線上に位置する。そのため、弁体を回転させると軸端に振れが発生せずに弁軸がスムーズに回転する。一方、弁軸が曲がっている場合には、支持状態において軸端の中心が基準となる軸線上にないので、弁体を回転させると軸端に振れが発生する。この軸端の振れは目視で確認できるので、弁軸の曲がりを容易に発見することができる。したがって、弁軸の曲がりの有無を容易に検査することができる。
【０００８】
本考案の検査装置の一形態において、前記一対の支持部は、少なくともいずれか一方が他方との間の距離を変更可能なように前記ベースに移動可能に設けられていてもよい。この場合、直径が異なる弁体を共通の検査装置で検査できる。
【０００９】
本考案の検査装置の一形態において、前記ベースの表面の色は、前記弁軸の表面の色に対してコントラストを生じる色であってもよい。この場合、弁軸の曲がりを見つけやすい。
【００１０】
本考案の検査装置の一形態においては、前記一対の支持部が樹脂製であってもよい。この場合、弁体及び弁軸に傷が付くことを抑制できる。
【００１１】
なお、以上の説明では本考案の理解を容易にするために添付図面の参照符号を括弧書きにて付記したが、それにより本考案が図示の形態に限定されるものではない。
【考案の効果】
【００１２】
以上、説明したように、本考案の検査装置によれば、一対の支持部に支持された弁体を回転させることにより、弁軸の曲がりの有無を容易に検査できる。
【図面の簡単な説明】
【００１３】
【図１】本考案の一形態に係る検査装置を示す斜視図。
【図２】検査装置を上から見た図。
【図３】支持部の側面図。
【図４】曲がっていない弁軸が回転しているときの状態の一例を示す図。
【図５】曲がっている弁軸が回転しているときの状態の一例を示す図。
【考案を実施するための形態】
【００１４】
図１〜図３を参照して本考案の一形態に係る検査装置を説明する。図１は、検査装置１の斜視図である。検査装置１は、円板状の弁体１００の両側に一対の弁軸１０１が同軸に設けられているバタフライ弁を検査対象とする。この検査装置１では、一対の弁軸１０１の曲がりの有無を検査する。弁体１００及び弁軸１０１は金属製であり、表面は銀色をしている。
【００１５】
図２は、検査装置１を上から見た図である。この図に示すように、検査装置１は、長方形の板状をしているベース２と、ベース２上に設けられた一対の支持部３ａ、３ｂとを備えている。ベース２及び支持部３ａ、３ｂは例えば６ナイロン等の樹脂製であり、表面は濃い青色をしている。ベース２の中央部分には、ガイド溝４が設けられている。また、ガイド溝４はベース２の長辺方向と平行な中心線ＣＬ上に長辺方向に延びるように設けられている。ガイド溝４には、ガイド溝４に沿って移動できるようにスライド部５が挿入されている。スライド部５には、スライド部５を移動させる際に人が操作する操作部５ａが設けられている。
【００１６】
一対の支持部３ａ、３ｂは、同じ形状をしており、長辺方向に並ぶようにベース２上に設けられている。図３は、一方の支持部３ａの側面図を示している。各支持部３ａ、３ｂの上部には、弁軸１０１を受けるためのＶ字状の受け部６が設けられている。図２に示すように一方の支持部３ａは、ベース２の長辺方向の一端に受け部６の底６ａが中心線ＣＬ上に位置するように固定されている。他方の支持部３ｂは、受け部６の底６ａが中心線ＣＬ上に位置するようにスライド部５に固定されている。そのため、他方の支持部３ｂはスライド部５と一体に移動し、スライド部５を動かすことにより一対の支持部３ａ、３ｂの間の距離を変更できる。一対の支持部３ａ、３ｂは、これらの間に弁体１００を配置できるように互いに間隔を空けて配置される。
【００１７】
これら一対の支持部３ａ、３ｂで曲がっていない一対の弁軸１０１を受けた場合、それら一対の弁軸１０１は軸線Ａｘ上にて同軸支持される。この軸線Ａｘは、曲がっていない弁軸１０１の軸線と重なり、本考案の基準となる軸線に相当する。なお、この軸線Ａｘの位置は、弁軸１０１の直径及び受け部６の深さ、傾斜角度等に応じて定まる。各支持部３ａ、３ｂは、弁体１００を支持したときにベース２の上面２ａから軸線Ａｘまでの高さＨ（図４参照）が、弁体１００の半径Ｒ（図１参照）より大きくなるように形成されている。
【００１８】
（検査方法）
次に、検査装置１を用いた弁軸１０１の検査方法について説明する。この検査装置１では、まず弁体１００を一対の支持部３ａ、３ｂの間に配置できるようにスライド部５を動かして他方の支持部３ｂの位置を調整する。次に、図１に示すように、一方の弁軸１０１が一方の支持部３ａの受け部６にて、他方の弁軸１０１が他方の支持部３ｂの受け部６にてそれぞれ支持されるように弁体１００を検査装置１に置く。その後、弁体１００を例えば指などで押して回転させる。
【００１９】
図４に一例を示すように、弁軸１０１が曲がっていない場合には、弁軸１０１の軸端１０１ａの中心Ｃが軸線Ａｘ上に位置する。そのため、弁体１００を回転させると、軸端１０１ａに振れが発生せずに弁軸１０１がスムーズに回転する。一方、弁軸１０１が曲がっている場合には、図５に実線で例示したように軸端１０１ａの中心Ｃが軸線Ａｘ上にない。そのため、弁体１００を回転させると破線で例示するように、軸端１０１に振れが発生する。この軸端１０１の振れは目視で確認できるので、弁軸１０１の曲がりを容易に発見できる。
【００２０】
以上説明したように、検査装置１によれば、一対の支持部３ａ、３ｂに支持された弁体１００を回転させ、その軸端１０１ａの振れを目視で確認することにより、弁軸１０１の曲がりを見つけることができる。そのため、弁軸１０１の曲がりの有無を容易に検査できる。
【００２１】
検査装置１では、他方の支持部３ｂを移動可能としたので、一対の支持部３ａ、３ｂ間の距離を変更できる。そのため、直径の異なる弁体１００を検査できる。ベース２の表面の色を濃い青色にしたので、光の反射が抑えられて弁軸１０１の銀色が映える。これによりベース２と弁軸１０１との間にコントラストが生じるので、弁軸１０１の曲がりを見つけ易くできる。また、支持部３ａ、３ｂを樹脂製としたので、弁体１００及び弁軸１０１に傷が付くことを抑制できる。
【００２２】
なお、支持部３ａ、３ｂの並び方向の厚みＴと弁軸１０１の長さとの関係であるが、操作性や使い勝手を考慮すると、弁軸１０１の長さが厚みＴの半分以上であることが望ましい。
【００２３】
本考案は、上述した形態に限定されることなく、種々の形態にて実施することができる。例えば、ベース及び支持部を構成する材料は樹脂に限定されず、適宜の材料を用いてよい。ベースの表面の色は濃い青色に限定されず、濃い緑色、濃い紫色、又は黒等、弁軸の表面の色に対してコントラストが生じる種々の色にしてよい。また、弁軸の表面が金属光沢を有する場合には、ベース表面は金属光沢を有さず、光を吸収、若しくは光の反射を抑制する材質であることが好ましい。上述した形態では、一対の支持部のうちの一方のみを移動可能としたが、両方を移動可能としてもよい。なお、検査する弁体の直径が一定であれば、支持部をベースに固定してもよい。
【符号の説明】
【００２４】
１  検査装置
２  ベース
２ａ  ベースの上面
３ａ、３ｂ  支持部
１００  弁体
１０１  弁軸
Ａｘ  軸線
Ｒ  弁体の半径
Ｈ  ベースの上面から弁軸の軸線までの高さ
【図１】
0003193131.tif 000003
【図２】
0003193131.tif 000004
【図３】
0003193131.tif 000005
【図４】
0003193131.tif 000006
【図５】
0003193131.tif 000007